(57)【要約】  昇降可能な棚および冷蔵庫であって、棚は、鉛直に設けられ、かつ平行する第１のラック（１）および第２のラック（２）を含み、両者の歯面が対向して設けられ、第１のラック（１）と第２のラック（２）との間には、互いに噛み合う第１のギヤ（３）および第２のギヤ（４）が設けられ、第１のギヤ（３）が第１のラック（１）と噛み合い、第２のギヤ（４）が第２のラック（２）と噛み合う。第２のギヤ（４）が第１の回転軸（６）を介して移動可能な固定板５に回転可能に接続され、第１の伝動ロッド（７）の一端が固定板（５）を貫通して第１のギヤ（３）に固定接続され、第１の伝動ロッド（７）がその中心軸線回りに回転可能であり、ロック装置が固定板（５）に設けられて第１の伝動ロッド７をロックおよびロック解除する。【選択図】図２
2019529854.tif 000002
【特許請求の範囲】
【請求項１】
第１のラックと、第２のラックと、互いに噛み合う第１のギヤおよび第２のギヤと、固定板と、第１の伝動ロッドと、ロック装置と、を含む昇降可能な棚であって、
前記第１のラックは、鉛直に設けられ、
前記第２のラックは、前記第１のラックに平行し、前記第２のラックの歯面が前記第１のラックの歯面に対向して設けられ、
前記第１のギヤおよび前記第２のギヤは、前記第１のラックと前記第２のラックとの間に設けられ、前記第１のギヤは、前記第１のラックと噛み合い、前記第２のギヤは、前記第２のラックと噛み合い、
前記固定板は、前記第１のラックおよび前記第２のラックの幅方向の同一側に設けられ、前記固定板は、前記第１のラックおよび前記第２のラックの長手方向に沿って移動可能であり、前記第２のギヤは、第１の回転軸を介して前記固定板に回転可能に接続され、
前記第１の伝動ロッドの一端が前記固定板を貫通して前記第１のギヤに固定接続され、前記第１の伝動ロッドは、前記第１の伝動ロッドの中心軸線回りに回転可能であり、
前記ロック装置は、前記固定板に設けられて、前記第１の伝動ロッドをロックおよびロック解除する、
ことを特徴とする昇降可能な棚。
【請求項２】
前記ロック装置は、第１のラチェットと第１の爪とを含む第１のラチェット機構であり、
前記第１のラチェットは、前記第１の伝動ロッドに装着され、
前記第１の爪は、第２の回転軸を介して前記固定板に設けられ、
前記第１の爪と前記第１のラチェットとが分離可能に係合されて、前記第１の伝動ロッドをロックおよびロック解除する、
ことを特徴とする請求項１に記載の昇降可能な棚。
【請求項３】
前記昇降可能な棚は、第２の伝動ロッドと、ラチェットストッパと、をさらに含み、
前記第２の伝動ロッドの一端が前記固定板に回転可能に接続され、
前記ラチェットストッパは、前記第２の伝動ロッドに固定され、前記ラチェットストッパは、前記第１のラチェットと分離可能に係合するように前記第１の爪を調節し、
前記第２の伝動ロッドは、回転時に、前記第１の爪に押し当てるように前記ラチェットストッパを駆動して、前記第１の爪と前記第１のラチェットとを分離させる、
ことを特徴とする請求項２に記載の昇降可能な棚。
【請求項４】
前記固定板には、第１の引張ばねが設けられ、前記第１の引張ばねは、前記第１のラチェットと前記第１の爪との間に設けられ、前記第１の引張ばねの一端が、前記固定板に固定され、前記第１の引張ばねの他端が、前記第１の爪の中央部に固定接続され、前記第１の引張ばねは、前記第１のラチェットに当接するように前記第１の爪を引っ張る、
ことを特徴とする請求項３に記載の昇降可能な棚。
【請求項５】
前記第１の伝動ロッドの前記第１のギヤから離れた一端には、第１の回転ハンドルが設けられている、
ことを特徴とする請求項１〜４のいずれか一項に記載の昇降可能な棚。
【請求項６】
前記第１の回転ハンドルには、第２のラチェット機構が設けられ、
前記第２のラチェット機構は、
前記第１の伝動ロッドに装着される第２のラチェットと、
一端が第３の回転軸を介して前記第１の回転ハンドルに回転可能に接続される第２の爪と、
前記第２のラチェットと前記第２の爪との間に設けられ、一端が前記第１の回転ハンドルに固定接続され、他端が前記第２の爪の中央部に接続され、前記第２のラチェットに当接するように前記第２の爪を駆動する第２の引張ばねと、
を含む、
ことを特徴とする請求項５に記載の昇降可能な棚。
【請求項７】
前記第１のラックと前記第２のラックとの互いに対向する側には、いずれも、鉛直に延びるガイド溝が設けられ、前記固定板の両側辺は、いずれも前記第１のラックおよび前記第２のラックの前記ガイド溝内に移動可能に設けられる、
ことを特徴とする請求項１〜６のいずれか一項に記載の昇降可能な棚。
【請求項８】
前記第２の伝動ロッドの前記ラチェットストッパから離れた一端には、第２の回転ハンドルが設けられる、
ことを特徴とする請求項３〜７のいずれか一項に記載の昇降可能な棚。
【請求項９】
冷蔵庫本体と、請求項１〜８のいずれか一項に記載の昇降可能な棚と、を含む冷蔵庫であって、
前記昇降可能な棚は、前記冷蔵庫本体内に設けられ、前記昇降可能な棚に棚板が設けられている、
ことを特徴とする冷蔵庫。
【請求項１０】
前記冷蔵庫本体内には、前記棚板を貫通して延出するガイドポストが鉛直に設けられる、
ことを特徴とする請求項９に記載の冷蔵庫。 
【発明の詳細な説明】
【技術分野】
【０００１】
本発明は、家電製品の技術分野に関し、特に、昇降可能な棚およびそれを有する冷蔵庫に関する。
【背景技術】
【０００２】
関連技術において、ほとんどの冷蔵庫の棚は、単一の長方形の平板ガラス棚または平板状のプラスチック棚であり、ガラス棚は、自体と庫内とが結合する構造により、庫内のリブに載置され、またはリブに係止されて固定される。棚が箱体の上中下位置に固定載置されるため、棚の高さおよび位置を思い通りに調節することができず、高く深い大容量の冷蔵庫にとって、最上層の棚に食物を詰め込んだり、取り出したりするのは大変不便である。
【０００３】
現在、異なる高さの食物および他の品物に対する顧客の貯蔵ニーズを満たすために、市販されている数少ないブランドの冷蔵庫は、棚が昇降可能な冷蔵庫を発売している。例えば、特許番号が２０１５１０１４９７９８.０で、特許の名称が棚アセンブリおよび冷蔵庫である特許において、冷蔵庫の側壁に係止溝が設けられ、係止溝内に間隔をおいて複数の回転ノブが設けられて棚板が支持される。しかし、このような設計には、必要に応じて任意の高さを調節することができず、調節される高さは、２つの回転ノブ間の間隔でしかないという問題が存在する。同様に、特許番号が２０１１２０２３９７３８.５で、特許の名称が冷蔵庫およびその棚昇降装置である特許において、冷蔵庫には、棚の両側の支持ブロックにマッチングする複数の係止溝が設けられ、支持ブロックが係止溝に係止されることにより、棚が固定される。このような設計には、同様に、必要に応じて任意の高さを調節することができないという不備が存在し、また、棚の高さを調節するとき、手動で棚を支える必要があるため、操作が不便である。また、例えば、特許ＣＮ０１１１２０２１.５に記載された昇降可能型な棚は、調節により棚全体を上下に移動することができ、このような棚の利点は、棚の高さを効果的に調節し、下方の物品を並べるためにスペースを省くことができるとともに、棚の機能を効果的に利用することができる。しかし、このような構造にも、昇降の高さが不足したり、棚に重い物が載置される場合、親ねじのジャンプアウトのリスクが現れたりするなどの欠点が存在している。
【発明の概要】
【発明が解決しようとする課題】
【０００４】
本発明は、従来技術に存在する技術課題の少なくとも１つを解決することを目的とする。そのため、本発明の１つの目的は、棚の高さを必要に応じて調節することができ、可動棚の高さを効果的に調節することができるとともに、調節が便利で、安定性に優れる昇降可能な棚を提供することである。
【０００５】
本発明の１つの目的は、上記昇降可能な棚を有する冷蔵庫を提供することである。
【課題を解決するための手段】
【０００６】
本発明の第１態様に係る昇降可能な棚は、第１のラックと、第２のラックと、互いに噛み合う第１のギヤおよび第２のギヤと、固定板と、第１の伝動ロッドと、ロック装置と、を含み、前記第１のラックは、鉛直に設けられ、前記第２のラックは、前記第１のラックに平行し、前記第２のラックの歯面が前記第１のラックの歯面に対向して設けられ、前記第１のギヤおよび前記第２のギヤは、前記第１のラックと前記第２のラックとの間に設けられ、前記第１のギヤは、前記第１のラックと噛み合い、前記第２のギヤは、前記第２のラックと噛み合い、前記固定板は、前記第１のラックおよび前記第２のラックの幅方向の同一側に設けられ、前記固定板は、前記第１のラックおよび前記第２のラックの長手方向に沿って移動可能であり、前記第２のギヤは、第１の回転軸を介して前記固定板に回転可能に接続され、前記第１の伝動ロッドの一端が前記固定板を貫通して前記第１のギヤに固定接続され、前記第１の伝動ロッドは、前記第１の伝動ロッドの中心軸線回りに回転可能であり、前記ロック装置は、前記固定板に設けられて、前記第１の伝動ロッドをロックおよびロック解除する。
【０００７】
本発明の昇降可能な棚によれば、第１の伝動ロッドを回転させると、第１の伝動ロッドが軸方向回りに回転することにより、第１のギヤが回転するように駆動され、第１のギヤと噛み合う第２のギヤが回転するように駆動され、第１のギヤおよび第２のギヤが、第１のラックおよび第２のラックの長手方向に沿って上下移動可能になり、次に、ロック装置によって第１の伝動ロッドがロックされ、昇降可能な棚の高さが位置決めされ、可動棚の高さを必要に応じて効果的に調節することが実現され、調節が便利で、ギヤ接続の方式を採用することで安定性に優れる。
【０００８】
本発明の一例によれば、前記ロック装置は、第１のラチェットと第１の爪とを含む第１のラチェット機構であり、前記第１のラチェットは、前記第１の伝動ロッドに装着され、前記第１の爪は、第２の回転軸を介して前記固定板に設けられ、前記第１の爪と前記第１のラチェットとが分離可能に係合されて、前記第１の伝動ロッドをロックおよびロック解除する。
【０００９】
本発明の一例によれば、前記昇降可能な棚は、第２の伝動ロッドと、ラチェットストッパと、をさらに含み、前記第２の伝動ロッドの一端が前記固定板に回転可能に接続され、前記ラチェットストッパは、前記第２の伝動ロッドに固定され、前記ラチェットストッパは、前記第１のラチェットと分離可能に係合するように前記第１の爪を調節し、前記第２の伝動ロッドは、回転時に、前記第１の爪に押し当てるように前記ラチェットストッパを駆動して、前記第１の爪と前記第１のラチェットとを分離させる。
【００１０】
本発明の一例によれば、前記固定板には、第１の引張ばねが設けられ、前記第１の引張ばねは、前記第１のラチェットと前記第１の爪との間に設けられ、前記第１の引張ばねの一端が、前記固定板に固定され、前記第１の引張ばねの他端が、前記第１の爪の中央部に固定接続され、前記第１の引張ばねは、前記第１のラチェットに当接するように前記第１の爪を引っ張る。
【００１１】
本発明の一例によれば、前記第１の伝動ロッドの前記第１のギヤから離れた一端には、第１の回転ハンドルが設けられている。
【００１２】
本発明の一例によれば、前記第１の回転ハンドルには、第２のラチェット機構が設けられ、前記第２のラチェット機構は、前記第１の伝動ロッドに装着される第２のラチェットと、一端が第３の回転軸を介して前記第１の回転ハンドルに回転可能に接続される第２の爪と、前記第２のラチェットと前記第２の爪との間に設けられ、一端が前記第１の回転ハンドルに固定接続され、他端が前記第２の爪の中央部に接続され、前記第２のラチェットに当接するように前記第２の爪を駆動する第２の引張ばねと、を含む。
【００１３】
本発明の一例によれば、前記第１のラックと前記第２のラックとの互いに対向する側には、いずれも鉛直に延びるガイド溝が設けられ、前記固定板の両側辺には、いずれも前記第１のラックおよび前記第２のラックの前記ガイド溝内に移動可能に設けられる。
【００１４】
本発明の一例によれば、前記第２の伝動ロッドの前記ラチェットストッパから離れた一端には、第２の回転ハンドルが設けられる。
【００１５】
本発明の第２態様に係る冷蔵庫は、冷蔵庫本体と、本発明の上記第１態様に係る昇降可能な棚と、を含み、前記昇降可能な棚は、前記冷蔵庫本体内に設けられ、前記昇降可能な棚には、棚板が設けられている。
【００１６】
本発明の一例によれば、前記冷蔵庫本体内には、前記棚板を貫通して延出するガイドポストが鉛直に設けられている。
【発明の効果】
【００１７】
本発明の付加的な態様および利点は、一部が以下の説明において示され、一部が以下の説明により明らかになり、または本発明の実践により理解される。
【図面の簡単な説明】
【００１８】
本発明の上記および/または付加的な態様および利点は、実施例を図面を参照しながら以下に説明することにより、明らかになり、理解しやすくなる。
【００１９】
【図１】本発明の実施例の昇降可能な棚の立体構造の概略図である。
【図２】第１の回転ハンドルの内部構造が示される本発明の実施例に係る昇降可能な棚の他の立体構造の概略図である。
【図３】第１のラックおよび固定板が図示されていない本発明の実施例に係る昇降可能な棚の他の立体構造の概略図である。
【図４】第１のラックＡおよび固定板が図示されていない本発明の実施例に係る昇降可能な棚の他の立体構造の概略図である。
【図５】本発明の実施例に係る昇降可能な棚の上面図である。
【図６】図５におけるＡ−Ａ線に沿う断面図である。
【図７】本発明の実施例に係る昇降可能な棚の背面図である。
【図８】本発明の実施例に係る昇降可能な棚における第１の爪によって第１のラチェットがロックされている第１のラチェット機構の概略装着図である。
【図９】本発明の実施例に係る昇降可能な棚における第１の爪が第１のラチェットから離れた第１のラチェット機構の他の概略装着図である。
【図１０】本発明の実施例に係る冷蔵庫の概略構造図である。
【図１１】本発明の実施例に係る冷蔵庫において棚板が昇降可能な棚に装着されている概略図である。
【図１２】本発明の他の実施例に係る冷蔵庫の概略構造図である。
【符号の説明】
【００２０】
１      第１のラック
２      第２のラック
３      第１のギヤ
４      第２のギヤ
５      固定板
６      第１の回転軸
６      第３の回転軸
７      第１の伝動ロッド
８      第１のラチェット機構
８−１  第１のラチェット
８−２  第１の爪
９      第２の伝動ロッド
１０    ラチェットストッパ
１１    第１の引張ばね
１２    第２の回転ハンドル
１３    第１の回転ハンドル
１４    第２のラチェット機構
１４−１  第２のラチェット
１４−２  第２の爪
１４−３  第２の引張ばね
１５    ガイド溝
１６    冷蔵庫本体
１７    棚板
１８    ガイドポスト
１９    バッフルプレート
【発明を実施するための形態】
【００２１】
以下、本発明の実施例を詳細に説明する。前記実施例における例が図面に示され、同一または類似する符号は、常に同一または類似する部品、或いは、同一または類似する機能を有する部品を表す。以下に、図面を参照しながら説明される実施例は例示的なものであり、本発明を解釈するためだけに用いられ、本発明を限定するものと理解してはいけない。
【００２２】
なお、本発明の説明において、「中心」、「上」、「下」、「前」、「後」、「左」、「右」、「鉛直」、「水平」、「頂」、「底」、「内」、「外」などの用語が示す方位または位置関係は、図面に示す方位または位置関係に基づき、本発明を便利にまたは簡単に説明するためのものであり、指定された装置または部品が特定の方位にあり、特定の方位において構造され操作されると指示または暗示するものではないので、本発明を限定するものと理解してはいけない。
【００２３】
なお、「第１」、「第２」の用語は、単に目的を説明するためのものであり、相対的な重要性を指示または暗示するか、或いは示された技術的特徴の数を黙示的に指示すると理解してはいけない。よって、「第１」、「第２」と限定されている特徴は少なくとも一つの当該特徴を含むことを明示または暗示するものである。さらに、本発明の説明において、他の説明がない限り、「複数」とは、２つ以上を意味する。
【００２４】
本発明の第１態様の実施例に係る昇降可能な棚について、図１〜図９を参照して以下に説明する。
【００２５】
図１〜図９に示すように、本発明の第１態様の実施例に係る昇降可能な棚は、第１のラック１と、第２のラック２と、第１のギヤと、第２のギヤ４と、固定板５と、第１の伝動ロッド７と、ロック装置と、を含む。
【００２６】
図１〜図９に示すように、第１のラック１が鉛直に設けられ、第２のラック２が第１のラック１と平行し、この場合、第２のラック２も鉛直に設けられ、第２のラック２の歯面と第１のラック１の歯面とが対向して設けられる。第１のギヤ３および第２のギヤ４が、第１のラックと第２のラック２との間に設けられ、第１のギヤ３が第１のラック１と噛み合い、第２のギヤ４が第２のラック２と噛み合い、第１のギヤ３と第２のギヤ４とが互いに噛み合う。固定板５が、第１のラック１および第２のラック２の幅方向の同一側に設けられ、固定板５が、第１のラックおよび第２のラック２の長手方向に沿って移動可能であり、第２のギヤ４が、第１の回転軸６を介して固定板５に回転可能に接続される。第１の伝動ロッド７の一端が、固定板５を貫通して第１のギヤ３に固定接続され、第１の伝動ロッド７が、第１の伝動ロッド７の中心軸線回りに回転可能である。固定板５にロック装置が設けられて、第１の伝動ロッド７をロックおよびロック解除する。
【００２７】
つまり、第１のギヤ３が、第１のラック１および第２のギヤ４にそれぞれ噛み合い、第２のギヤ４と第２のラック２とが噛み合う。第１のラック１と第２のラック２との片側に固定板５がスライド可能に接続され、第２のギヤ４が第１の回転軸６を介して固定板５に可動的に接続され、固定板５には、一端が固定板５を貫通して延出する第１の伝動ロッド７が設けられ、第１の伝動ロッド７が軸方向回りに回転可能であり、第１の伝動ロッド７の一端が、第１のギヤ３の中心に固定接続される。固定板５には、第１の伝動ロッド７をロックおよびロック解除するためのロック装置が設けられる。
【００２８】
本発明の実施例に係る昇降可能な棚によれば、第１の伝動ロッド７を回転させると、第１の伝動ロッド７が軸方向回りに回転することにより、第１のギヤ３が回転するように駆動され、第１のギヤ３と噛み合う第２のギヤ４が回転するように駆動され、第１のギヤ３および第２のギヤ４が、第１のラック１および第２のラック２の長手方向に沿って上下移動可能となる。次に、ロック装置によって第１の伝動ロッド７がロックされ、昇降可能な棚の高さが位置決めされ、可動棚の高さを必要に応じて効果的に調節することが実現され、調節が便利で、ギヤ接続の方式を採用することで安定性に優れる。
【００２９】
本発明の一実施例によれば、ロック装置は、第１のラチェット機構８である。第１のラチェット機構８は、第１のラチェット８−１と、第１の爪８−２と、を含み、第１のラチェット８−１が、第１の伝動ロッド７に装着され、第１の爪８−２が第２の回転軸６を介して固定板５に設けられ、第１の爪８−２と第１のラチェット８−１とが分離可能に係合されて、第１の伝動ロッド７をロックおよびロック解除する。例えば、図２、図３、図４、および図５に示すように、ロック装置は、第１のラチェット機構８であり、第１のラチェット機構８は、第１のラチェット８−１と、第１のラチェット８−１の回転をロックするための第１の爪８−２と、を含み、第１のラチェット８−１が、第１の伝動ロッド７に装着され、第１の伝動ロッド７が軸方向回りに回転することにより、第１のラチェット８−１が中心軸線回りに回転するように駆動される。第１の爪８−２が、第２の回転軸６を介して固定板５に設けられる。これにより、ロック装置として、第１のラチェット機構８を採用することで、第１の伝動ロッド７が一方向に回転可能となる。例えば、図３に示すように、第１の爪８−２と第１のラチェット８−１とが係合している場合、第１の伝動ロッド７がロックされ、第１の伝動ロッド７は時計回りに回転することができない。第１の爪８−２と第１のラチェット８−１とが分離している場合、第１のラチェット８−１が解放され、第１の伝動ロッド７は時計回りに回転することができる。本出願において、第１の伝動ロッド７が逆方向に回転可能であり、第１のギヤ３および第２のギヤ４が上へ移動することができる。下へ移動する必要がある場合、第１の爪８−２を調節して、第１の爪８−２を第１のラチェット８−１から離れさせ、重力の作用で、第１のギヤ３および第２のギヤ４は、下へ移動するように第１の伝動ロッド７を駆動し、必要な位置に到達した後、第１のラチェット８−１をロックするように第１の爪８−２を調節して、位置決めを実現する。
【００３０】
本発明の更なる実施例によれば、昇降可能な棚は、第２の伝動ロッド９と、ラチェットストッパ１０と、をさらに含み、第２の伝動ロッド９の一端が、固定板５に回転可能に接続され、ラチェットストッパ１０が、第２の伝動ロッド９に固定され、ラチェットストッパ１０は、第１のラチェット８−１と分離可能に係合するように第１の爪８−２を調節するためのものである。第２の伝動ロッド９は、回転時に、第１の爪に押し当てるようにラチェットストッパ１０を駆動して、第１の爪８−２と第１のラチェット８−１とを分離させる。例えば、図５、図７、図８、および図９に示すように、昇降可能な棚は、第２の伝動ロッド９と、ラチェットストッパ１０と、をさらに含み、ラチェットストッパ１０は、第１のラチェット８−１に対して接近および離反するように第１の爪８−２を調節する。第２の伝動ロッド９の一端が、固定板５に可動的に接続され、ラチェットストッパ１０が、第２の伝動ロッド９に固定され、第２の伝動ロッド９が軸方向回りに回転することにより、ラチェットストッパ１０が第１の爪８−２に押し当てられて、第１の爪８−２を第１のラチェット８−１から離れさせる。これにより、第１の爪８−２を第１のラチェット８−１から離れさせる必要がある場合、第２の伝動ロッド９を回転させることにより、第１の爪８−２に押し当てるようにラチェットストッパ１０が駆動されて、第１の爪８−２を第１のラチェット８−１から離れさせ、操作が便利である。
【００３１】
さらに、図３、図４および図８に示すように、固定板５には、第１の引張ばね１１が設けられ、第１の引張ばね１１が、第１のラチェット８−１と第１の爪８−２との間に設けられ、第１の引張ばね１１の一端が、固定板５に固定され、第１の引張ばね１１の他端が第１の爪８−２の中央部に固定接続され、第１の引張ばね１１は、第１のラチェット８−１に当接するように第１の爪８−２を引っ張るためのものである。これにより、第１の引張ばね１１の設置によって、第１の爪８−２が第１のラチェット８−１をロックするまで復帰することを容易にすることができ、第１の爪８−２が第１のラチェット８−１から離れて第１のギヤ３および第２のギヤ４が必要な位置まで下降した後、第２の伝動ロッド９が離され、第１の引張ばね１１の作用で、第１の爪８−２が復帰して、第１のラチェット８−１を再びロックし、位置決めが実現される。
【００３２】
図１〜図４に示すように、第１の伝動ロッド７の第１のギヤ３から離れた一端には、第１の回転ハンドル１３が設けられてもよい。これにより、第１の回転ハンドル１３の設置によって、第１の伝動ロッド７を回転させることが容易になる。
【００３３】
本発明の更なる実施例によれば、図６に示すように、第１の回転ハンドル１３には、第２のラチェット機構１４が設けられ、第２のラチェット機構１４は、第２のラチェット１４−１と、第２の爪１４−２と、第２の引張ばね１４−３と、を含み、第２のラチェット１４−１が、第１の伝動ロッド７に装着され、第１の伝動ロッド７が軸方向回りに回転することにより、第２のラチェット１４−１が軸方向回りに回転するように駆動され、第２の爪１４−２の一端が、第３の回転軸６を介して第１の回転ハンドル１３に回転可能に接続される。すなわち、第２の爪１４−２の一端が、第３の回転軸６を介して第１の回転ハンドル１３に可動的に接続され、第２の引張ばね１４−３が、第２のラチェット１４−１と第２の爪１４−２との間に設けられ、第２の引張ばね１４−３の一端が、第１の回転ハンドル１３に固定接続され、第２の引張ばね１４−３の他端が、第２の爪１４−２の中央部に接続され、第２の引張ばね１４−３によって、第２のラチェット１４−１に当接するように第２の爪１４−２が駆動される。これにより、第１の回転ハンドル１３内に第２のラチェット機構１４を設けることによって、第１の回転ハンドル１３を回転させることが容易になり、第１の回転ハンドル１３が回転した後に復帰することができる。図１〜図４に示すように、第２の伝動ロッド９のラチェットストッパ１０から離れた一端には、第２の回転ハンドル１２が設けられてもよい。これにより、第２の回転ハンドル１２の設置によって、第２の伝動ロッド９を回転させることが容易になる。
【００３４】
好ましくは、図１〜図３に示すように、第１のラック１および第２のラック２の互いに対向する側には、いずれも鉛直に延びるガイド溝１５が設けられ、固定板５の両側辺は、いずれも第１のラック１および第２のラック２のガイド溝１５内に移動可能に設けられる。つまり、第１のラック１および第２のラック２の対向する側には、いずれもガイド溝１５が鉛直に設けられ、固定板５の両側辺は、いずれもガイド溝１５内にスライド可能に設けられる。これにより、ガイド溝１５の設置によって、固定板５の移動がガイドされ、固定板５の安定性を向上させることができ、バッフルプレート１９の設置によって、第１のラチェット機構８が保護され、水が入って第１のラチェット機構８に垂れることを回避することができる。
【００３５】
さらに、図１および図３に示すように、固定板５の周縁には、第１のラチェット機構８を保護するバッフルプレート１９が設けられる。これにより、バッフルプレート１９の設置によって、第１のラチェット機構８が保護され、水が入って第１のラチェット機構８に垂れることを回避することができる。
【００３６】
本発明の実施例に係る昇降可能な棚の作動原理は、以下の通りである。第１の回転ハンドル１３を反時計回りに回転させると、第１の回転ハンドル１３は、第１のラチェット８−１および第１のギヤ３を反時計回りに回転するように駆動し、第１のギヤ３は、第２のギヤ４を時計回りに回転するように駆動し、第１のギヤ３および第２のギヤ４が、第１のラック１および第２のラック２に沿って上へ転動し、これにより、固定板５、第１の伝動ロッド７および第２の伝動ロッド９が上へ移動するように駆動され、昇降可能な棚の上昇が実現される。第１のラチェット機構８が一方向に回転するため、昇降可能な棚が指定された位置まで上昇した後、第１の爪８−２が、第１のラチェット８−１をロックする。図８に示すように、ロックされた第１のラチェット８−１が時計回りに回転不能になるので、第１のギヤ３は回転することができず、昇降可能な棚が下降することはない。図６に示すように、第２のラチェット機構１４の構造の設置によって、第２のラチェット１４−１が図６中の時計回りに回転する際に、回転するように第１の伝動ロッド７を駆動することはないため、第１の回転ハンドル１３によって第１の伝動ロッド７が反時計回りに回転するように駆動された後、第１の回転ハンドル１３を復帰させることができ、復帰中に、第１の伝動ロッド７が回転しない。昇降可能な棚を下降させる必要がある場合、第２の回転ハンドル１２を時計回りに回転させて、第２の伝動ロッド９を時計回りに回転させることにより、ラチェットストッパ１０が第１の爪８−２に押し当てられて、第１の爪８−２を、第１のラチェット８−１から離れさせる。図９に示すように、この場合、第１のラチェット８−１に対する第１の爪８−２のロックが無効となり、重力の作用で、第１のギヤ３が時計回りに回転し、第２のギヤ４が反時計回りに回転し、第１の伝動ロッド７および第２の伝動ロッド９が下へ移動する。必要な位置まで移動した後、第２の回転ハンドル１２を放し、第１の引張ばね１１の作用で、第１の爪８−２が復帰して第１のラチェット８−１に押し当てて、第１のラチェット８−１を再ロックすることが実現され、自動急ブレーキの機能を発揮する。
【００３７】
図１０〜図１２に示すように、本発明の第２態様の実施例に係る冷蔵庫は、冷蔵庫本体１６と、本発明の上記第１態様の実施例に係る昇降可能な棚と、を含む。昇降可能な棚が、冷蔵庫本体１６内に設けられ、昇降可能な棚には、棚板１７が設けられる。
【００３８】
昇降可能な棚を調整する際に、まず、第１の伝動ロッド７を回転させて、第１の伝動ロッド７が軸方向回りに回転することにより、第１のギヤ３が回転するように駆動され、第１のギヤ３と噛み合う第２のギヤ４が回転するように駆動され、第１のギヤ３および第２のギヤ４が、第１のラック１および第２のラック２の長手方向に沿って上下移動することができる。次に、ロック装置によって第１の伝動ロッド７がロックされ、高さが位置決めされ、可動棚の高さを必要に応じて効果的に調節することが実現され、調節が便利であり、ギヤ接続の方式を採用することで、安定性に優れる。右側の第２の回転ハンドル１２が放された後、引っ張られている第１の引張ばね１１の自身の弾性力の作用で、第１のラチェット８−１のブレーキかけ復帰が実現され、昇降可能な棚のブレーキかけが実現されることで、昇降可能な棚が不意に滑り落ちて損壊することを防ぐ。冷蔵庫本体１６内に昇降可能な棚が設けられることにより、昇降可能な棚の高さおよび位置を思い通りに調節することができ、高く深い大容量の冷蔵庫にとって、最上層の昇降可能な棚に食物を詰め込んだり、取り出したりするのは便利である。
【００３９】
本発明の実施例に係る冷蔵庫は、冷蔵庫本体１６内に昇降可能な棚が設けられることにより、昇降可能な棚の高さおよび位置を思い通りに調節することができ、高く深い大容量の冷蔵庫にとって、最上層の昇降可能な棚に食物を詰め込んだり、取り出したりするのは便利である。
【００４０】
さらに、図１０および図１２に示すように、冷蔵庫本体１６内にガイドポスト１８が鉛直に設けられ、ガイドポスト１８が棚板１７を貫通して延出する。これにより、ガイドポスト１８の設置は、棚板１７の移動をガイドし、棚板１７の移動の安定性を確保することができる。さらに、図１１に示すように、第１の伝動ロッド７および第２の伝動ロッド９が、同一水平面にあり、棚板１７が、第１の伝動ロッド７および第２の伝動ロッド９に載置され、棚板１７には、ガイドポスト１８が貫通する穴が設けられる。
【００４１】
図１２に示すように、本発明の実施例において、本発明に係る昇降可能な棚が冷蔵庫本体１６内部の中央部に設けられ、昇降可能な棚の上方および下方にそれぞれ一つの固定された棚板１７が設けられてもよい。昇降可能な棚の昇降を調節することにより、昇降可能な棚の物置スペースおよび昇降可能な棚の下方の棚板１７の物置スペースを必要に応じて調節することを実現することができる。
【００４２】
以上は、本発明の好ましい実施例に過ぎず、本発明を制限するためのものではない。本発明の要旨および原則の範囲内に行う任意の修正、均等物による置換および改善などは、いずれも本発明の保護範囲内に含まれるべきである。
【００４３】
本明細書の説明において、「一実施例」、「一部の実施例」、「例示的な実施例」、「例」、「具体的な例」、或いは「一部の例」などの用語を参考した説明とは、当該実施例或いは例に合わせて説明された具体的な特徴、構造、材料或いは特性が、本発明の少なくとも一つの実施例或いは例に含まれることである。本明細書において、上記用語に対する例示的な説明は、必ずしも同じ実施例或いは例を示すものではない。また、説明された具体的な特徴、構造、材料或いは特性は、いずれか一つ或いは複数の実施例または例において適切に結合することができる。
【００４４】
本発明の実施例を示して説明したが、本発明の原理および主旨から逸脱しない限り、これらの実施例に対して種々の変化、修正、取り替えおよび変形を行うことができ、本発明の範囲が、請求項およびその均等物により限定されることは、当業者が理解できる。
【図１】
2019529854.tif 000003
【図２】
2019529854.tif 000004
【図３】
2019529854.tif 000005
【図４】
2019529854.tif 000006
【図５】
2019529854.tif 000007
【図６】
2019529854.tif 000008
【図７】
2019529854.tif 000009
【図８】
2019529854.tif 000010
【図９】
2019529854.tif 000011
【図１０】
2019529854.tif 000012
【図１１】
2019529854.tif 000013
【図１２】
2019529854.tif 000014
【国際調査報告】
2019529854.tif 000015
2019529854.tif 000016
2019529854.tif 000017
2019529854.tif 000018
2019529854.tif 000019